(57)【要約】【課題】  高齢者や歩行が不自由な人を、自動車と車椅子の間で相互に移乗させることができる装置に、介護者の体力的な負担を軽減し得る機能を付与する。【解決手段】  車椅子の座面と、自動車の座席に予め取り付けられた台座との間に、連結板を接合し、その上を座面の裏側に摺動手段が設けられた座椅子を移動可能とする。該座椅子は、車椅子の座面及び座席の台座のそれぞれに固定する手段を取り付ける。これによって、被介護者が着座した状態の該座椅子を、小さな力で自動車と車椅子の間で相互にスライドさせることができる。また、該座椅子に折り畳み可能な構造を付与することにより、非使用時は自動車のトランクなどに収容可能とする。【選択図】図１
2012245341.tif 000002
【特許請求の範囲】
【請求項１】
自動車の座席に固定するための手段を有し、座椅子を搭載可能な座椅子台と、前輪と後輪と前記座椅子の搭載面を有し、前記座椅子を搬送するための車椅子と、座面の裏側に摺動手段が設けられ、前記座椅子台及び前記車椅子における搭載面に固定するための固定手段を有する前記座椅子と、前記座椅子を前記座椅子台と前記搭載面との間を相互に移動するための連結板とを有する座椅子搬送装置であって、前記車椅子は、前記前輪を保持してなる棒状部材に設けられた屈曲部と、前記後輪を前記車椅子の進行方向に対してほぼ直角に回動させる第一の回動手段と、前記搭載面の後端を軸として前記搭載面を回動させる第二の回動手段とにより折り畳むことが可能であることを特徴とする座椅子搬送装置。
【請求項２】
前記摺動手段は、フリーベアリングであることを特徴とする、請求項１に記載の座椅子搬送装置。
【請求項３】
前記連結板は、前記座椅子台側に設けられてなる接合用ボルトと前記連結板側に設けられてなる接合用穴との係合により、前記座椅子台に接合され、前記車椅子側に設けられてなる接合用パイプと前記連結板側に設けられてなる接合用レールとの係合により、前記車椅子に接合されることを特徴とする、請求項１または請求項２に記載の座椅子搬送装置。
【発明の詳細な説明】
【技術分野】
【０００１】  本発明は、歩行の障害がある人を介護するための装置に関わり、被介護者が座椅子に座ったまま、自動車に乗降することなどが可能な、座椅子搬送装置に関するものである。
【背景技術】
【０００２】  家屋や交通機関のバリアフリーが提唱され、特に近年の我が国においては、人口の高齢化が顕著で、様々な場所で、齢者や歩行が不自由な人に対する介護が必要となっている。これに対処するために、自走機能や、利用者の起立を介助する機能を有する車椅子が開発されている。【０００３】  また、高齢者や歩行が不自由な人に限らず、中長距離の移動には自動車を使用する機会が多いため、車椅子から自動車への被介護者人の移動を介助するための介助装置が開発されている。【０００４】  例えば特許文献１には、金属製の支柱に取り付けられたハンドルと手すりと、ボルトを軸にして上下可動のスライド用座席と可動させるジャッキ、その固定用台とそれを取り付けるベース台と、それにボルト軸で付けられた開閉用アームと移動用のキャスターから構成された移乗用介助支援車が開示されている。【０００５】  また、特許文献２には、座面の上下動と回動が可能で、かつ座面の後方へのスライドが可能な構造を有する車椅子が開示されている。しかし、これらの装置は、被介護者を自動車に移乗させる際には、被介護者の身体を介護者が持ち上げる必要があり、介護者の負担軽減という観点から、改善の余地がある。
【先行技術文献】
【特許文献】
【０００６】
【特許文献１】  特開２００１−０３７８１４号公報
【特許文献２】  特開２００２−１８６６４８号公報
【発明の概要】
【発明が解決しようとする課題】
【０００７】  従って、本発明の課題は、高齢者や歩行が不自由な人を、自動車と車椅子の間で相互に移乗させることができる装置に、介護者の体力的な負担を軽減し得る機能を付与することである。
【課題を解決するための手段】
【０００８】  本発明は、前記の課題解決のため、被介護者が着座したまま、自動車の座席と車椅子との間で、相互に移乗させることが可能な装置を検討した結果なされたものである。【０００９】  即ち、本発明は、自動車の座席に固定するための手段を有し、座椅子を搭載可能な座椅子台と、前輪と後輪と前記座椅子の搭載面を有し、前記座椅子を搬送するための車椅子と、座面の裏側に摺動手段が設けられ、前記座椅子台及び前記車椅子における搭載面に固定するための固定手段を有する前記座椅子と、前記座椅子を前記座椅子台と前記搭載面との間を相互に移動するための連結板とを有する座椅子搬送装置であって、前記車椅子は、前記前輪を保持してなる棒状部材に設けられた屈曲部と、前記後輪を前記車椅子の進行方向に対してほぼ直角に回動させる第一の回動手段と、前記搭載面の後端を軸として前記搭載面を回動させる第二の回動手段とにより折り畳むことが可能であることを特徴とする座椅子搬送装置である。【００１０】  また、本発明は、前記摺動手段が、フリーベアリングであることを特徴とする、前記の座椅子搬送装置。【００１１】  また、本発明は、前記連結板が、前記座椅子台側に設けられてなる接合用ボルトと前記連結板側に設けられてなる接合用穴との係合により、前記座椅子台に接合され、前記車椅子側に設けられてなる接合用パイプと前記連結板側に設けられてなる接合用レールとの係合により、前記車椅子に接合されることを特徴とする、前記の座椅子搬送装置である。
【発明の効果】
【００１２】  本発明の座椅子搬送装置は、座面の裏側に摺動装置が取り付けられた座椅子を用い、予め自動車のシートに取り付けられた座椅子台と、車椅子との間を、座椅子台と車椅子に接合された連結板を用いて、当該座椅子を滑らせることができる。このため、被介護者が着座したままでも、当該座椅子を小さな力で水平方向に移動することが可能なので、介助する側の負担を極めて小さくすることができる。【００１３】  また、本発明に用いる車椅子は、折り畳むことが可能な構造となっているので、被介護者を自動車に乗せている間は、自動車のトランクなどに収納可能なので、自動車が目的地の到着した後は、その場で使用できる。
【図面の簡単な説明】
【００１４】
【図１】  本発明に係る座椅子搬送装置の車椅子の一例を示す斜視図。
【図２】  本発明に係る座椅子搬送装置のシート用座椅子台の一例を示す斜視図。
【図３】  本発明に係る座椅子搬送装置の連結板の一例を示す斜視図。
【図４】  本発明に係る座椅子搬送装置の座椅子の一例を示す斜視図。
【図５】  本発明に係る座椅子搬送装置の座椅子を車椅子に搭載した状態の一例を示す正面図。
【図６】  本発明に係る座椅子搬送装置の車椅子を折り畳んだ状態の一例を示す正面図。
【発明を実施するための形態】
【００１５】  次に具体的な図を参照しながら本発明の実施の形態について説明する。
【００１６】  図１は、本発明に係る座椅子搬送装置の車椅子の一例を示す斜視図であり、図５は、図４に示した座椅子４９を搭載した状態、図６は、折り畳んでコンパクトにした状態である。図６において、二点鎖線で示したのは、進行方向に対してほぼ直角に回動させた後車輪である。車椅子用座椅子台７は、座椅子台指示部材６を屈曲させ、同時にスライド用外側パイプ１３と、スライド用内側パイプ１７とをスライドさせ、蝶番用プレート１２の部分を回動軸として、図６に示したように、図における下方向に回動屈曲することができる。
【００１７】  また、同時に、伸縮内側パイプ２と伸縮外側パイプ３をスライドさせ、幅止めパイプ４ｂの部分を回動軸として、図６における上方向に跳ね上げることができる。このように折り畳むことによって、コンパクト化でき、自動車による搬送が容易で必要な場所で適宜出し入れができるので、被介護者にとっても、介護者にとっても極めて高い利便性を供与できる。また、昇降ハンドル２８の操作により、車椅子用座椅子台の高さを自動車のシートに合わせることが可能である。
【００１８】  座椅子４９を、車椅子用座椅子台７の上に搭載する際は、座椅子押さえプレート１２、ストッパー３５、座椅子ロックピン挿入穴を用いて、座椅子４９を固定できる。
【００１９】  図２は、本発明に係る座椅子搬送装置のシート用座椅子台の一例を示す斜視図である。一般に自動車のシートはクッション性を有し、車椅子から、座椅子４９を移送するには不都合があるので、本発明においては、シート用座椅子台４２を、予めシート用固定ベルト４７ａ、４７ｂを用いて、自動車のシートに固定しておく。座椅子４９の移送の際には、ガイド板４４に沿って移送し、ストッパー４３と座椅子ロックピン挿入穴を用いて位置決め、固定を行う。
【００２０】  一般に自動車のシートは後部が低くなるような傾斜を有するので、シート用座椅子台４２全体の傾斜を、シート用座椅子台傾斜調整ブロック４６を用いて、移送を容易にできるように調整することができる。このように調製したシート用座椅子台４２を自動車のシートに上に搭載しておくことで、座椅子４９を滑らせて円滑に移動できる。
【００２１】  図３は、本発明に係る座椅子搬送装置の連結板の一例を示す斜視図である。この連結板４０を、車椅子用座椅子台７とシート用座椅子台４２との間に介在させて、車椅子から、自動車のシートへ座椅子４９を移送する。連結板４０と車椅子用座椅子台７の接合には、車椅子用座椅子台７に設けられた連結板接合パイプ３を、連結板４０に設けられた車椅子用座椅子台接合レールに嵌合させ、シート用座椅子台４２の接合には、連結板４０に設けられた連結板取付穴４１に、シート用座椅子台４２に設けられた連結板取付ボルトを係合させる。
【００２２】  図４は、本発明に係る座椅子搬送装置の座椅子の一例を示す斜視図である。座椅子４９の底面には、フリーベアリング５０が設けられ、車椅子用座椅子台７、連結板４０、シート用座椅子台４２の上を滑らせることにより、円滑に移動できる。また、ガイド用ベアリング５１が設けられ、これをガイド板１０、３６，４４のそれぞれに沿わせることにより円滑に移動できる。さらに、椅子ロックピン５２ａ、５２ｂを、座椅子ロックピン挿入穴挿入穴３４、４８に挿入することで、車椅子用座椅子台７及びシート用座椅子代４２の上で、位置決めと固定ができる。
【００２３】  本発明による座椅子搬送装置は、以上に説明したような構成を備えているので、歩行の不自由な被介護者が着座した状態で、大きな力を要しないで座椅子を移動することが可能なので、自動車やベッドなどへの移乗に際しての被介護者や介護者の負担を軽減できる。なお、本発明は、前記実施の形態に限定されるものではなく、本発明の分野における通常の知識を有する者であれば想到し得る、各種変形、修正を含む要旨を逸脱しない範囲の設計変更があっても、本発明に含まれることは勿論である。
【符号の説明】
【００２４】１              前輪                        ２          伸縮内側パイプ
３              伸縮外側パイプ              ４ａ，４ｂ  幅止めパイプ
５              折畳ステップ                ６          座椅子台支持部材
７              車椅子用座椅子台            ８          隙間閉塞プレート
９              連結板接合パイプ            １０        ガイド板
１１            座椅子押さえプレート        １２        蝶番用プレート
１３            スライド用外側パイプ
１４            折畳ステップロック解除レバー
１５            後車輪                      １６        車輪用軸
１７            スライド用内側パイプ        １８        下部幅止めフレーム
１９            スライド用上部フレーム      ２０        ダンパー
２１            台形ネジ                    ２２        ナット
２３            上部幅止めフレーム          ２４        ベアリング受けカバー
２５            スラストベアリング          ２６        カップリング
２７            ベベルギヤセット            ２８        昇降ハンドル
２９            車輪９０°方向変換穴        ３０        タックルブレーキ
３１            後部転倒防止バー            ３２        ハンドル
３３            ブレーキバー                ３４，４８  座椅子ロックピン挿入穴
３５            ストッパー                  ３６        ガイド板
３７            車椅子用座椅子台接合レール  ３８        隙間閉塞プレート
３９            プッシュボルト              ４０        連結板
４１            連結板取付穴                ４２        シート用座椅子台
４３            ストッパー                  ４４        ガイド板
４５            連結板取付ボルト
４６            シート用座椅子台傾斜調整ブロック
４７ａ，４７ｂ  シート固定用ベルト          ４９        座椅子
５０            フリーベアリング            ５１        ガイド用ベアリング
５２ａ，５２ｂ  座椅子ロックピン            ５３        背あてバー固定金具
５４            背あてバー                  ５５        背あてシート
５６            肘掛                        ５７        差込式折畳ステップ
５８            パイプ枠                    ５９        下部プレート
【図１】
2012245341.tif 000003
【図２】
2012245341.tif 000004
【図３】
2012245341.tif 000005
【図４】
2012245341.tif 000006
【図５】
2012245341.tif 000007
【図６】
2012245341.tif 000008